(57)【要約】【課題】２ポートのユーザフレームを１つの光伝送フレームに多重化するフレーム多重伝送装置及びその方法に関し、一方のユーザフレームに対しては、単位時間当たりのデータ量を減少させることなく、データ疎通を行うことを可能にする。【解決手段】ネットワーク機器＃１及び＃２からの主及び従ユーザフレームの多重化を、加入者側フレーム多重伝送装置（ＦＴＴＨ−ＣＰＥ−ＭＣ）におけるメディアアクセス制御層（ＭＡＣ）と光伝送路側物理層（ＰＨＹ２）との間のフレーム多重伝送部（ＯＡＭ）において、主ユーザフレームのフレーム間隙に従ユーザフレームを挿入して多重化する。メディアアクセス制御層（ＭＡＣ）と各ネットワーク機器＃１，＃２とは物理層（ＰＨＹ１）を介してメディア独立性インタフェース（ＭＩＩ１２，ＭＩＩ２２）により１対１に接続されるため、メディアアクセス制御層（ＭＡＣ）はユーザフレーム送受信に制限を与えない。【選択図】      図１
2005192120.tif 000002
【特許請求の範囲】
【請求項１】
ユーザからの一まとまりの転送データであるユーザフレームを２つのポートからそれぞれ受信し、該２つのユーザフレームを多重化して１つのポートへ光伝送路フレームとして送出する機能を備えたフレーム多重伝送装置において、
前記２つのポートから入力されるユーザフレームのうち、一方のポートから入力されるユーザフレームのフローに対して制限を与えることなく前記１つのポートへ光伝送路フレームとして送出し、
前記２つのポートから入力されるユーザフレームのうち、他方のポートから入力されるユーザフレームを、前記一方のポートから入力されるユーザフレームのフレーム間の間隙内に挿入して多重化し、前記１つのポートへ光伝送路フレームとして送出する手段を備えたことを特徴とするフレーム多重伝送装置。
【請求項２】
前記他方のポートから入力されるユーザフレームに対して、前記一方のポートから入力されるユーザフレームの既定のフレーム間隔より短いフレーム長に圧縮する手段と、該圧縮したユーザフレームを、前記一方のポートから入力されるユーザフレームのフレーム間の間隙内に挿入する手段と、を備えたことを特徴とする請求項１に記載のフレーム多重伝送装置。
【請求項３】
前記一方のポートから入力されるユーザフレームとそれに続くフレーム間隔とを合わせた周期の２倍の周期に１回の割合で、前記他方のポートから入力されるユーザフレームを、前記一方のポートから入力されるユーザフレームのフレーム間の間隙内に挿入して多重化する手段を備えたことを特徴とする請求項１又は２に記載のフレーム多重伝送装置。
【請求項４】
前記一方のポートから入力されるユーザフレームとそれに続くフレーム間の間隙とを合わせた周期の２倍の周期を監視周期として前記光伝送路フレームを監視し、該光伝送路フレームから、前記フレーム間の間隙に挿入された既定のフレーム長より短いユーザフレームを分離する手段を備えたことを特徴とする請求項３に記載のフレーム多重伝送装置。
【請求項５】
ユーザからの一まとまりの転送データであるユーザフレームを２つのポートからそれぞれ受信し、該２つのユーザフレームを多重化して１つのポートへ光伝送路フレームとして送出するフレーム多重伝送方法において、
前記２つのポートから入力されるユーザフレームのうち、一方のポートから入力されるユーザフレームのフローに対して制限を与えることなく前記１つのポートへ光伝送路フレームとして送出し、
前記２つのポートから入力されるユーザフレームのうち、他方のポートから入力されるユーザフレームを、前記一方のポートから入力されるユーザフレームのフレーム間の間隙内に挿入して多重化し、前記１つのポートへ光伝送路フレームとして送出することを特徴とするフレーム多重伝送方法。
【請求項６】
前記他方のポートから入力されるユーザフレームに対して、前記一方のポートから入力されるユーザフレームの既定のフレーム間隔より短いフレーム長に圧縮し、該圧縮したユーザフレームを、前記一方のポートから入力されるユーザフレームのフレーム間の間隙内に挿入することを特徴とする請求項５に記載のフレーム多重伝送方法。
【請求項７】
前記一方のポートから入力されるユーザフレームとそれに続くフレーム間の間隙とを合わせた周期の２倍の周期に１回の割合で、前記他方のポートから入力されるユーザフレームを、前記一方のポートから入力されるユーザフレームのフレーム間の間隙内に挿入して多重化することを特徴とする請求項５又は６に記載のフレーム多重伝送方法。
【請求項８】
前記一方のポートから入力されるユーザフレームとそれに続くフレーム間の間隙とを合わせた周期の２倍の周期を監視周期として前記光伝送路フレームを監視し、該光伝送路フレームから、前記フレーム間の間隙に挿入された既定のフレーム長より短いユーザフレームを分離することを特徴とする請求項７に記載のフレーム多重伝送方法。
【発明の詳細な説明】
【技術分野】
【０００１】
本発明は、フレーム多重伝送装置及び方法に関し、特に、光ファイバーケーブルを敷設して通信サービスを提供するファイバ・ツウ・ザ・ホーム（ＦＴＴＨ）等の光ネットワーク機器において、イーサネット（登録商標）フレーム等による２ポートのユーザフレームを１つの光伝送フレームに多重化するフレーム多重伝送装置及びその方法に関する。
【背景技術】
【０００２】
図１１にイーサネット（登録商標）フレームを多重化する従来のフレーム多重伝送装置の構成を示す。同図（ａ），（ｂ）において、ネットワーク機器＃１，＃２から送信されたユーザフレームは、それぞれフレーム多重伝送装置１１−１の物理層（ＰＨＹ１）の各ポートＰ１，Ｐ２に入力され、物理層（ＰＨＹ１）からメディア独立性インタフェース（ＭＩＩ）フレームにより、メディアアクセス制御層（ＭＡＣ）に渡され、メディアアクセス制御層（ＭＡＣ）おいて、各ポートＰ１，Ｐ２からのユーザフレームを１ポートの伝送路フレームに集約し、メディア独立性インタフェース（ＭＩＩ）フレームにより物理層（ＰＨＹ２）に渡され、物理層（ＰＨＹ２）のポートＰ３からネットワーク機器＃３へ１つの伝送路フレームとして送出される構成となっている。
【０００３】
各ポートからのフレームを１ポートのフレームに集約する際に、各ポートからのフレームをバッファメモリに蓄積した後、１ポートのフレームに集約して送出する。複数ポートからのユーザフレームを１ポートの伝送路フレームに集約することにより、単位時間当たりの伝送可能なデータ量が減少するためデータ速度が制限される。
【０００４】
データ速度の制限によるエンドステーション間でのユーザフレーム損失を回避しようとするには、メディアアクセス制御層（ＭＡＣ）におけるフロー制御を有効とする設定を行って対向ネットワーク機器に対するユーザフレームの流出を制御するフロー制御を行う。フロー制御は、図１１の（ｂ）に示すように、メディアアクセス制御層（ＭＡＣ）でバッファオーバーフローの発生を予知し、バッファオーバーフローの発生前に、ユーザフレームの送信を停止させるためのＰａｕｓｅフレームをネットワーク機器に送信し、該ネットワーク機器は該Ｐａｕｓｅフレームの受信によりユーザフレームの送信を一時停止する。
【０００５】
本発明に関連する先行技術文献として、イーサネット（登録商標）システムに使用される拡張型ＦＩＦＯバッファに関する技術が下記の特許文献１に、ＰＰＰフレームの多重化に関する技術が下記の特許文献２に、符号化されたパケット情報とアイドル符号セットで埋められたパケット間ギャップとを送信するパケット通信に関する技術が下記の特許文献３に記載されている。
【特許文献１】特開２００３−１８８９２６号公報
【特許文献２】特開２００２−２４７０９８号公報
【特許文献３】特開２００２−３４４５１８号公報
【発明の開示】
【発明が解決しようとする課題】
【０００６】
イーサネット（登録商標）フレームフォーマットインタフェースを有するフレーム多重伝送装置において、２ポートの物理ポートのユーザフレームを１つの物理ポートの伝送路フレームへ多重する際、２ポートのユーザフレームを各々１つのポートへ同一速度で転送した場合、各ユーザフレームのバッファメモリへの蓄積及び転送を効率良く行っても、バッファオーバーフローの発生を防ぐことはできず、単位時間当たりのデータ量が減少してしまう。
【０００７】
本発明は、メディアアクセス制御層（ＭＡＣ）において２ポートのフレームを１ポートの光伝送路フレームに集約する際に、２ポートのフレームの何れか一方に対しては、単位時間当たりのデータ量を減少させることなく、１ポートの光伝送路フレームでデータ疎通を行うことを可能にする光ネットワークにおけるフレーム多重伝送装置及び方法を提供することを目的とする。
【課題を解決するための手段】
【０００８】
本発明のフレーム多重伝送装置は、（１）ユーザからの一まとまりの転送データであるユーザフレームを２つのポートからそれぞれ受信し、該２つのユーザフレームを多重化して１つのポートへ光伝送路フレームとして送出する機能を備えたフレーム多重伝送装置において、前記２つのポートから入力されるユーザフレームのうち、一方のポートから入力されるユーザフレームのフローに対して制限を与えることなく前記１つのポートへ光伝送路フレームとして送出し、前記２つのポートから入力されるユーザフレームのうち、他方のポートから入力されるユーザフレームを、前記一方のポートから入力されるユーザフレームのフレーム間の間隙内に挿入して多重化し、前記１つのポートへ光伝送路フレームとして送出する手段を備えたものである。
【０００９】
また、（２）前記他方のポートから入力されるユーザフレームに対して、前記一方のポートから入力されるユーザフレームの既定のフレーム間隔より短いフレーム長に圧縮する手段と、該圧縮したユーザフレームを、前記一方のポートから入力されるユーザフレームのフレーム間の間隙内に挿入する手段と、を備えたものである。
【００１０】
また、（３）前記一方のポートから入力されるユーザフレームとそれに続くフレーム間隔とを合わせた周期の２倍の周期に１回の割合で、前記他方のポートから入力されるユーザフレームを、前記一方のポートから入力されるユーザフレームのフレーム間の間隙内に挿入して多重化する手段を備えたものである。
【００１１】
また、（４）前記一方のポートから入力されるユーザフレームとそれに続くフレーム間の間隙とを合わせた周期の２倍の周期を監視周期として前記光伝送路フレームを監視し、該光伝送路フレームから、前記フレーム間の間隙に挿入された既定のフレーム長より短いユーザフレームを分離する手段を備えたものである。
【００１２】
また、本発明のフレーム多重伝送方法は、（５）ユーザからの一まとまりの転送データであるユーザフレームを２つのポートからそれぞれ受信し、該２つのユーザフレームを多重化して１つのポートへ光伝送路フレームとして送出するフレーム多重伝送方法において、前記２つのポートから入力されるユーザフレームのうち、一方のポートから入力されるユーザフレームのフローに対して制限を与えることなく前記１つのポートへ光伝送路フレームとして送出し、前記２つのポートから入力されるユーザフレームのうち、他方のポートから入力されるユーザフレームを、前記一方のポートから入力されるユーザフレームのフレーム間の間隙内に挿入して多重化し、前記１つのポートへ光伝送路フレームとして送出することを特徴とする。
【００１３】
また、（６）前記他方のポートから入力されるユーザフレームに対して、前記一方のポートから入力されるユーザフレームの既定のフレーム間隔より短いフレーム長に圧縮し、該圧縮したユーザフレームを、前記一方のポートから入力されるユーザフレームのフレーム間の間隙内に挿入することを特徴とする。
【００１４】
また、（７）前記一方のポートから入力されるユーザフレームとそれに続くフレーム間の間隙とを合わせた周期の２倍の周期に１回の割合で、前記他方のポートから入力されるユーザフレームを、前記一方のポートから入力されるユーザフレームのフレーム間の間隙内に挿入して多重化することを特徴とする。
【００１５】
また、（８）前記一方のポートから入力されるユーザフレームとそれに続くフレーム間の間隙とを合わせた周期の２倍の周期を監視周期として前記光伝送路フレームを監視し、該光伝送路フレームから、前記フレーム間の間隙に挿入された既定のフレーム長より短いユーザフレームを分離することを特徴とする。
【００１６】
本発明によるフレーム多重化は、従来、ＩＥＥＥ８０２．３として規格化されたメタリック伝送ケーブル用の１０ＢＡＳＥ−Ｔ等のイーサネット（登録商標）フレームフォーマットのユーザフレームを、光伝送路を用いた１００ＢＡＳＥ−Ｘ等のイーサネット（登録商標）フレームフォーマットで伝送する場合に、フレーム間隔に十分な空きを生じるため、一方のユーザフレームのフレーム間の間隙に他方のユーザフレームを挿入して多重化し、その際に、各ユーザフレームに対して優先順位を付与し、優先順位の高いユーザフレームのフローに制限を与えることなく送出し、そのフレーム間の間隙に、疎通品質の保証を要求しないフレームを挿入して多重化することにより、フロー制御を行うことなく、優先順位の高いユーザフレームの単位時間当たりのデータ量を減少させることなくデータを疎通させることができるようにしたものである。
【発明の効果】
【００１７】
本発明は、２つのポートから入力されるユーザフレームのうち、一方のポートから入力されるユーザフレームのフローに対して制限を与えることなく１つのポートへ光伝送路フレームとして送出し、他方のポートから入力されるユーザフレームを、一方のポートから入力されるユーザフレームのフレーム間の間隙内に挿入して多重化することにより、一方のポートから入力されるユーザフレームに対して、単位時間当たりのデータ量を減少させることなく、１ポートの光伝送路フレームで２つのポートのユーザフレームのデータを疎通させることができる。
【発明を実施するための最良の形態】
【００１８】
図１は、本発明による２つのユーザフレームを１つの光伝送路フレームに多重するフレーム多重伝送装置の構成を示す。同図において、ＦＴＴＨ−ＣＰＥ−ＭＣは加入者側フレーム多重伝送装置、ＦＴＴＨ−ＣＯ−ＭＣは収容局側フレーム多重伝送装置である。加入者側フレーム多重伝送装置（ＦＴＴＨ−ＣＰＥ−ＭＣ）と収容局側フレーム多重伝送装置（ＦＴＴＨ−ＣＯ−ＭＣ）との間は光伝送路（光ファイバーケーブル）１−１で接続されている。
【００１９】
ネットワーク機器＃１及び＃２は、加入者側フレーム多重伝送装置（ＦＴＴＨ−ＣＰＥ−ＭＣ）に接続され、ネットワーク機器＃１はユーザフレームの主フレームを送受信する機器、ネットワーク機器＃２はユーザフレームの従フレームを送受信する機器であるとする。また、ネットワーク機器＃３及びネットワーク機器＃４は、収容局側フレーム多重伝送装置（ＦＴＴＨ−ＣＯ−ＭＣ）に接続された機器であるとする。
【００２０】
ネットワーク機器＃１からの主ユーザフレームとネットワーク機器＃２からの従ユーザフレームとの多重化を、加入者側フレーム多重伝送装置（ＦＴＴＨ−ＣＰＥ−ＭＣ）におけるメディアアクセス制御層（ＭＡＣ）と光伝送路側物理層（ＰＨＹ２）との間のフレーム多重伝送部（ＯＡＭ）で行うことにより、メディアアクセス制御層（ＭＡＣ）と各ネットワーク機器＃１，＃２とは物理層（ＰＨＹ１）を介してメディア独立性インタフェース（ＭＩＩ１２，ＭＩＩ２２）により１対１に接続される構成となるため、メディアアクセス制御層（ＭＡＣ）はユーザフレーム送受信に制限を与えないことになる。
【００２１】
以下、フレーム多重伝送部（ＯＡＭ）における、複数のユーザフレームを１つの光伝送路フレームに多重化する手法について図２を参照して説明する。図２の（ａ）はＩＥＥＥ８０２．３ｕの規格によるデータ信号フレーム構成（イーサネット（登録商標）フレームフォーマット）を示す。
【００２２】
上記データ信号フレーム構成において、（１）はプリアンブル／ＳＦＤ（８バイト）、（２）は宛先アドレスフィールド（６バイト）、（３）は送信元アドレスフィールド（６バイト）、（４）はレングスフィールド（２バイト）、（５）はデータフィールド（４６〜１５００バイト）、（６）はフレーム検査シーケンスフィールド（４バイト）、（７）はフレーム間隔（ＩＦＧ：Inter Frame Gap）（１２バイト以上）である。該データ信号フレームの最大フレーム長（上記（２）〜（６））は１５１８バイト、最小フレーム長（上記（２）〜（６））は６４バイトである。なお、上記フレーム間隔（ＩＦＧ）はパケット間ギャップ（ＩＰＧ：Inter Packet Gap）とも称される。
【００２３】
図２の（ｂ）に従フレーム挿入位置を示す。正規のデータ信号フレームは、データ信号の間に少なくとも１２バイトのパケット間ギャップ（ＩＰＧ）が空けられ、該パケット間ギャップ（ＩＰＧ）にアイドル信号が嵌入されている。主フレームのこの少なくとも１２バイトのパケット間ギャップ（ＩＰＧ）のアイドル信号区間内に従フレーム２−１を挿入し、１ポートシリアルでフレーム転送を行う。なお、少なくとも１２バイトのパケット間ギャップ（ＩＰＧ）内において、従フレームはその前後が少なくとも４バイトのアイドル信号で区切られるように挿入する。その結果、従フレームは、少なくとも４バイト長のフレームとなる。
【００２４】
図３は本発明により多重化する従フレームフォーマットを示す。従フレームは同図に示すように、先頭に信号の開始を示す８ビットの識別子ＳＳＤ（“１０１０１０１０”）、及び後尾に信号の終了を示す４ビットの識別子ＥＳＤ（“１０１０”）を有し、その間に従フレームのユーザデータを格納する。従って少なくとも４バイト長の従フレームは、その中に８ビットの信号開始識別子ＳＳＤ（１バイト）及び４ビットの信号終了識別子ＥＳＤ（０．５バイト）を含むため、従フレームのユーザデータは少なくとも２．５（＝４−１．５）バイトとなる。
【００２５】
フレーム多重伝送部（ＯＡＭ）は、疎通品質を求めない少なくとも２．５バイト長の従フレームユーザデータの生成を行い、伝送路側の物理層（ＰＨＹ２）の送信データ送出部ＴＸＤ（４Ｂ）に挿入する。また、伝送路側の物理層（ＰＨＹ２）の受信データ入力部ＲＸＤ（４Ｂ）から、パケット間ギャップ（ＩＰＧ）の従フレームの信号を受信し終端する。従フレームの送受信を主フレームのアイドル区間（ＩＰＧ）で行うことにより、１つの物理ポートでの主フレーム及び従フレーム多重転送を実現する。
【００２６】
次に、フロー制御を行うことなくデータフレームの衝突を回避する手法について説明する。フレーム多重伝送部（ＯＡＭ）部において、２つのポートからのユーザフレームを１つのポートの伝送路フレームに多重する際、主データフレームのフレーム間隔を常時一定時間以上空け、主データフレームの送出時に従データフレームと重なる場合には、図４に示すように、主データフレームを遅延させ、従データフレームの送出完了後、８ＣＬＫ（４バイト分）のタイミングの後に、主データフレームを送出することにより、主データフレームと従データフレームとの衝突を回避させながら、主データフレーム及び従データフレームを疎通させることが可能となる。
【００２７】
次に本発明による従フレームの挿入位置について説明する。フレーム多重伝送部（ＯＡＭ）部における主ユーザフレームと従ユーザフレームの関係を図５に示す。同図は主フレームのパケット間ギャップ（ＩＰＧ）に挿入する従フレームのタイミング関係を示している。同図（ａ）に示すように、主フレームの最大フレーム長（図５の実施形態では１５３０バイト＝１２２．４μＳ）と最小フレーム間隔（１２バイト＝０．９６μＳ）との和の１２３．３６μＳの２倍の間隔である２４６．７２ｕｓに１回の割合で従ユーザフレームを挿入することを基本とする。
【００２８】
これは、最大フレーム長（１２２．４μＳ）の主フレームデータが最小フレーム間隔（０．９６μｓ）で連続送受信されているとき、エンハンストリンクアルゴリズムによるリンク検出を考慮し、同期処理が安定的に行われるように、少なくとも２つのパケット間ギャップ（ＩＰＧ）に１つの割合で従ユーザフレームを挿入するようにしたものである。
【００２９】
なお、従ユーザフレーム挿入時に主ユーザフレームの送信中である場合は、図５（ｂ）に示すように、その送信中の主ユーザフレームの送信終了後のパケット間ギャップ（ＩＰＧ）に従ユーザデータを挿入して送信する。従フレーム挿入時は送信イネーブル（ＴＸＥＮ）を“Ｈ”にする。また、フレーム間隔が０．９６μＳ以下のときは従フレームの挿入を禁止する。
【００３０】
図６に本発明のフレーム多重伝送部（ＯＡＭ）の機能ブロック構成を示す。本発明のフレーム多重伝送部（ＯＡＭ）は、メディア独立性インタフェースＭＩＩ１１を介して主フレームデータを送受信する主フレームインタフェース６−１と、メディア独立性インタフェースＭＩＩ２１を介して従フレームデータを送受信する従フレームインタフェース６−２と、従フレームの挿入タイミングを調整する挿入タイミング部６−３と、衝突を回避して主フレーム及び従フレームを多重化するフレーム多重部６−４と、メディア独立性インタフェースＭＩＩ３１を介して光伝送路側と伝送路フレームデータを送受信する光物理層インタフェース部６−５とを備える。
【００３１】
また、フレーム多重伝送部（ＯＡＭ）は、光物理層インタフェース部６−５から受信される伝送路フレームデータから従フレームを抜き取るための周期監視部６−６と、伝送路フレームデータを主フレームと従フレームとに分離するフレーム分離部６−７と、従フレームデータが４バイト長以上の場合に、４バイト長以下のフレームに縮めた従フレームを挿入タイミング部６−３に送出するフレーム圧縮部６−８と、フレーム分離部６−７により分離された従フレームをチェックするフレームチェック部６−９と、正規のフレームとして規定された最小フレーム長（例えば６４バイト）以下のフレームを従フレームと認識し、該従フレームの信号開始識別子ＳＳＤ及び信号終了識別子ＥＳＤをチェックするＳＳＤ／ＥＳＤチェック部６−１０、圧縮された従フレームを伸張して従フレームインタフェース６−２に送出するフレーム伸長部６−１１とを備える。
【００３２】
なお、周期監視部６−６は４００μＳ周期で従フレームを抜き取るための監視を行う。前述したように、従フレームは最大フレーム長（１２２．４μＳ）と最小フレーム間隔（０．９６μＳ）との和の１２３．３６μＳの２倍の間隔である２４６．７２ｕｓに１回の割合で挿入することが基本であるが、従ユーザフレーム挿入時に主ユーザフレームの送信中である場合は、その送信中の主ユーザフレームの送信終了後のパケット間ギャップ（ＩＰＧ）に従ユーザデータを挿入するため、最大で２４６．７２μＳ＋１２２．４μＳ＋０．９６μＳ＝３７０．０８μＳの周期となるため、従フレームを監視する周期として約４００μＳ周期としている。
【実施例１】
【００３３】
図７〜図１０に、本発明のフレーム多重伝送装置の各実施例を示す。図７は本発明の実施例１を示し、２つのユーザポートからそれぞれ到来する主フレーム及び従フレームの両者に対してメディアアクセス制御層（ＭＡＣ）で終端を行い、１芯光ファイバ７−１で多重伝送する伝送装置の構成例を示している。
【００３４】
加入者側フレーム多重伝送装置（ＦＴＴＨ−ＣＰＥ−ＭＣ）のポートＰ１及びポートＰ２がそれぞれ主フレーム及び従フレームが入力されるポートであるとすると、ポートＰ１の主フレーム及びポートＰ２の従フレームは、メディアアクセス制御層（ＭＡＣ）において、物理層（ＰＨＹ１）側及びフレーム多重伝送部（ＯＡＭ）側共に１対１対向であるため、既存のイーサネット（登録商標）標準化技術により、フロー制御を伴うことなく疎通が可能な構成となる。
【００３５】
フレーム多重伝送部（ＯＡＭ）では、ポートＰ１からのメディア独立性インタフェースフレームＭＩＩ１１とポートＰ２からのメディア独立性インタフェースフレームＭＩＩ２１とを、メディア独立性インタフェースフレームＭＩＩ３１にシリアル多重化するため、メディア独立性インタフェースフレームＭＩＩ１１を主フレーム、メディア独立性インタフェースフレームＭＩＩ２１を従フレームとして、前述のフロー制御を回避させる手法を用い、主フレームのフレーム間隔に従フレームのデータを２．５バイト以下になるように論理圧縮を行って挿入する。
【００３６】
論理圧縮は既知の技術により行う。論理圧縮後の主フレーム及び従フレームのシリアル多重化に際し、主フレームの送信データが存在する場合は、メディア独立性インタフェースフレームＭＩＩの主フレームを入力位相から一定時間遅延し、遅延前の位相に従フレームを挿入することにより、従フレームを挿入する主フレームのパケット間ギャップ（ＩＰＧ）を確保する。
【００３７】
主フレームの送信データが存在しない場合は、メディア独立性インタフェースフレームＭＩＩにおける最大フレーム長（１５３０バイト）の主フレームデータが最小フレーム間隔（１２バイト）で連続受信されているときのエンハンストリンクアルゴリズムによるリンク検出を考慮し、２４６．７２ｕｓ（（最大フレーム長＋最小フレーム間隔）×２）に１回の割合で従フレーム挿入を行う。
【００３８】
また、逆に収容局側フレーム多重伝送装置（ＦＴＴＨ−ＣＯ−ＭＣ）において、主フレームのフレーム間隔からの従フレームの抽出は、メディア独立性インタフェースフレームＭＩＩ４１の受信データの有効区間（ＲＸＤＶのハイレベル区間）から、フレーム間隔に相当する１２バイトを従フレームとして抜き出し、２．５バイト以下の従フレームデータを６４バイト以上のイーサネット（登録商標）フレームに伸長し、従フレーム用のメディア独立性インタフェースフレームＭＩＩ６１に出力することにより、元のイーサネット（登録商標）フレームと同様に扱うことができ、ネットワーク機器間での疎通が可能となる。
【００３９】
１芯光ケーブルに多重化する構成は、加入者側フレーム多重伝送装置（ＦＴＴＨ−ＣＰＥ−ＭＣ）の伝送路側物理層（ＰＨＹ２）と、収容局側フレーム多重伝送装置（ＦＴＴＨ−ＣＯ−ＭＣ）の伝送路側物理層（ＰＨＹ３）との区間を、例えば１００ＢＡＳＥ−ＦＸとして規格化された波長分割多重（ＷＤＭ：Wavelength Division Multiplex）方式により伝送する構成とすることができる。
【実施例２】
【００４０】
図８は本発明の実施例２を示し、２つのユーザポートからそれぞれ到来する主フレーム及び従フレームに対して、主フレームのみをメディアアクセス制御層（ＭＡＣ）で終端し、従フレームをメディアアクセス制御層（ＭＡＣ）で終端せずに、１芯光ケーブル７−１に多重化する構成例を示す。実施例２では、従フレームをメディアアクセス制御層（ＭＡＣ）で終端していないため、主フレームのフレーム間隔に従フレームを挿入する際に、元々２．５バイト以下の従フレームデータであれば、論理圧縮せずにシリアル多重化が可能である。
【００４１】
従フレームは、メディアアクセス制御層（ＭＡＣ）のフレーム構成にならないので、ネットワーク機器＃２側のユーザフレームは、イーサネット（登録商標）フレームに限らず、メディア独立性インタフェースフレームＭＩＩ２２に変換可能なフレーム構成のものを適用対象とすることができる。
【実施例３】
【００４２】
図９は本発明の実施例３を示し、２つのユーザポートからそれぞれ到来する主フレーム及び従フレームの両者に対してメディアアクセス制御層（ＭＡＣ）で終端を行い、加入者宅設備と収容局設備との間を、方向分離した光ファイバ９−１で接続した伝送装置の構成例である。実施例１との違いは、実施例１では加入者宅側設備と収容局側との伝送物理媒体が波長分割多重（ＷＤＭ）方式による１芯光ケーブルであるのに対して、実施例３では方向分離した２芯光ケーブルとしている。伝送媒体が１芯式であるか２芯式であるかによって、主フレームと従フレームとのシリアル多重は制限されることなく、主フレームのフレーム間隔に従フレームを挿入して多重伝送を行うことができる。
【実施例４】
【００４３】
図１０は本発明の実施例４を示し、２つのユーザポートからそれぞれ到来する主フレーム及び従フレームに対して、主フレームのみをメディアアクセス制御層（ＭＡＣ）で終端し、従フレームをメディアアクセス制御層（ＭＡＣ）で終端せずに、加入者宅設備と収容局設備との間を、方向分離した光ファイバで接続した伝送装置の構成例を示す。実施例２との違いは、実施例２では加入者宅側と収容局側との間の伝送媒体が波長分割多重（ＷＤＭ）方式による１芯光ケーブルであるのに対して、実施例４では方向分離した２芯光ケーブルとしている。この場合でも同様に、伝送媒体が１芯式であるか２芯式であるかによって、主フレームと従フレームとのシリアル多重は制限されることなく、主フレームのフレーム間隔に従フレームを挿入して多重伝送を行うことができる。
【図面の簡単な説明】
【００４４】
【図１】本発明による２つのユーザフレームを１つの光伝送路フレームに多重するフレーム多重伝送装置の構成を示す図である。
【図２】本発明による２つのユーザフレームを１つの光伝送路フレームに多重化する手法の説明図である。
【図３】本発明により多重化する従フレームフォーマットを示す図である。
【図４】本発明によるデータフレームの衝突を回避する手法の説明図である。
【図５】本発明による従フレームの挿入位置についての説明図である。
【図６】本発明のフレーム多重伝送部（ＯＡＭ）の機能ブロック構成を示す図である。
【図７】本発明のフレーム多重伝送装置の実施例１を示す図である。
【図８】本発明のフレーム多重伝送装置の実施例２を示す図である。
【図９】本発明のフレーム多重伝送装置の実施例３を示す図である。
【図１０】本発明のフレーム多重伝送装置の実施例４を示す図である。
【図１１】イーサネット（登録商標）フレームを多重化する従来のフレーム多重伝送装置の構成を示す図である。
【符号の説明】
【００４５】
１−１  光伝送路
ＦＴＴＨ−ＣＰＥ−ＭＣ  加入者側フレーム多重伝送装置
ＦＴＴＨ−ＣＯ−ＭＣ  収容局側フレーム多重伝送装置
Ｐ１，Ｐ２，Ｐ３，Ｐ４  ポート
ＰＨＹ１，ＰＨＹ２，ＰＨＹ３，ＰＨＹ４  物理層
ＭＡＣ  メディアアクセス制御層
ＯＡＭ  フレーム多重伝送部
ＭＩＩ  独立性インタフェース
【図１】
2005192120.tif 000003
【図２】
2005192120.tif 000004
【図３】
2005192120.tif 000005
【図４】
2005192120.tif 000006
【図５】
2005192120.tif 000007
【図６】
2005192120.tif 000008
【図７】
2005192120.tif 000009
【図８】
2005192120.tif 000010
【図９】
2005192120.tif 000011
【図１０】
2005192120.tif 000012
【図１１】
2005192120.tif 000013